(57)【要約】【課題】ごみ袋内に容易に設定することができ、ごみ袋を破れから保護できると共に、ごみ袋に投入されたごみを移し替えることなく、ごみ収拾車等に出すことができるなど、使い勝手のよいごみ収納補助具を提供する。【解決手段】略半円状に湾曲した硬質板からなる基体１と、該基体に内接し両側縁が該基体の両側縁に屈曲自在に連接された可撓性板２とからなり、ごみ袋７中に該基体を挿入して可撓性板を外方に張り出させることにより、該基体および可撓性板がごみ袋の内面に接して該ごみ袋を拡張させられるようにした。【選択図】図４
2007314296.tif 000002
【特許請求の範囲】
【請求項１】
略半円状に湾曲した硬質板からなる基体と、該基体に内接し両側縁が該基体の両側縁に屈曲自在に連接された可撓性板とからなり、ごみ袋中に該基体を挿入して可撓性板を外方に張り出させることにより、該基体および可撓性板がごみ袋の内面に接して該ごみ袋を拡張させられるようにしたことを特徴とするごみ収納補助具。
【発明の詳細な説明】
【技術分野】
【０００１】
本発明はごみ袋にごみを収納し易くするためのごみ収納補助具に関するものである。
【背景技術】
【０００２】
一般に市販されているごみ袋は、自治体によって大きさ，材質等が予め決められた合成樹脂製の薄いシートからなるものであるが、例えば小枝や木ぎれなどを入れると突き刺さって破れやすいという問題があった。
【０００３】
下記特許文献１に示された樹木ごみ収納具は、上記のようなごみ袋の中に弾性があり丈夫で堅い性質を持つ薄板を挿入して膨脹させごみ袋の内面を覆うようにすることで、上記問題を解決し、小枝や木ぎれなどを入れる際にもごみ袋が破れることのないようにするものである。
また、下記特許文献２に示された発明は、ビニール袋内に骨組を入れて袋内で拡げることによりビニール袋を自立可能にしそのまま屑箱として使用できる発明を示すものである。
【特許文献１】特開２００５−２７６８０号公報
【特許文献２】特開２００１−３２８６１０号公報
【発明の開示】
【発明が解決しようとする課題】
【０００４】
ところで、特許文献１では、ごみ袋を破れから保護することは可能となるが、弾性があって堅い薄板をごみ袋内に挿入することは容易でなく、一人で作業することはなおも困難であるという問題がある。
また、上記特許文献２に開示された骨組は、ごみ袋を上記のような破損から保護できないものであったり、ごみ袋内から引きずり出し難い形態であったので、使い勝手が悪いという問題がある。
【課題を解決するための手段】
【０００５】
本発明に係るごみ収納補助具は上記課題を解決しようとするもので、略半円状に湾曲した硬質板からなる基体と、該基体に内接し両側縁が該基体の両側縁に屈曲自在に連接された可撓性板とからなり、ごみ袋中に該基体を挿入して可撓性板を外方に張り出させることにより、該基体および可撓性板がごみ袋の内面に接して該ごみ袋を拡張させられるようにしたことを特徴とする。
【発明の効果】
【０００６】
ごみ袋内に容易に設定することができ、ごみ袋を破れから保護できると共に、ごみ箱のように自立するのでごみ袋に投入されたごみを移し替えることなく、ごみ収拾車等に出すことができる使い勝手のよいごみ収納補助具を提供できる。
【発明を実施するための最良の形態】
【０００７】
図１は本発明に係るごみ収納補助具の折り畳み状態の斜視図、図２はその拡張状態の斜視図である。このごみ収納補助具は、基体１と可撓性板２とからなり、基体１は塩化ビニール製で厚さ３ｍｍ、幅６６０ｍｍ、高さ５００ｍｍ程の硬質板を湾曲することにより略半円状に形成されている。一方、可撓性板２は塩化ビニール製で厚さ０．５ｍｍ、幅６４０ｍｍ、高さ５００ｍｍ程の弾力性を有した薄板からなるもので、該可撓性板２の両側縁と基体１の両側縁とを屈曲自在に連接する手段としてのガムテープ３，３により屈曲自在に連接し、図１に示した折り畳み状態では該可撓性板２が基体１に内接し、図２に示した拡張状態では該可撓性板２が弾性により外方に張り出すようにしている。
【０００８】
なお、４，４は基体１の上縁寄りに開設された手掛用の透孔である。また、基体１の下縁両端部５，５と可撓性板２の下縁両端部６，６とは、角張らないように夫々円弧状に面取がなされている。
【０００９】
このように構成したごみ収納補助具は、折り畳み状態として、図３に示したように、薄い合成樹脂シートからなる幅６５０ｍｍ、深さ７５０ｍｍ程のごみ袋７中に基体１を挿入し、該ごみ袋７内にて可撓性板２を外方に張り出させることで、図４、図５に示したように、該基体１および可撓性板２がごみ袋７の内面に接して該ごみ袋を拡張させられる。このためこのごみ収納補助具を設定することで、ごみ袋７を自立させることができる。
【００１０】
このため、自立するごみ袋７の上端開口からごみ箱のように容易にごみを投入することができ、小枝や木ぎれなどが投入されてもそれらは基体１および可撓性板２の内面に当たるだけであるのでごみ袋７が破れるおそれはなく、たとえ尖ったごみであっても足で踏んで圧縮することで嵩張らずに多量に収納することが可能である。そして、ごみで満杯になったところで透孔４，４に手を入れて持ち上げれば、ごみ袋７は底部にそのごみの重みが掛かることから該基体１を可撓性板２と共にごみ袋７内から引きずり出すことができ、ごみ袋７内にごみだけが残るので後はそのごみ袋７の開口を普通に縛るだけで、そのまま簡単にごみ収拾車等に出すことができる。なお、基体１および可撓性板２は平坦であって滑り易いので、軽摩擦でごみ袋７内から容易に引きずり出すことができる。このため、このごみ収納補助具を使うことにより、通常のごみ箱のようにごみをごみ袋に移し替える必要はなく、作業者に負担を掛けることもなく簡単にごみ出しをすることができる。
【００１１】
なお、このごみ収納補助具は、ごみ袋７から引きずり出した後、何度でも使用でき、ごみ袋をごみ箱のように自立させられるので、事業所や室内、或いは屋外などにごみ箱に代わる物として置くことにより環境美化に役立たせることができる。
また、このごみ収納補助具は、ごみ袋７内に挿入した後に可撓性板２を拡張するだけで簡単に設定することができるので、使い勝手がよく、一人でも簡単に設定でき、使い勝手が優れている。また、折り畳み状態とすることで、嵩ばることがないので、輸送、保管時等にも便利である。
【００１２】
なお、本発明のごみ収納補助具は上記実施形態に示した構成に限定されることなく、種々の変更が可能である。例えば、基体１および可撓性板２を構成する材料は合成樹脂の他、厚紙，パルプボード、或いは金属板、木板等によって成形することもできる。また、基体１と可撓性板２とを屈曲自在に連接する手段としては上記ガムテープの他、樹脂材料を肉薄に成形して屈曲自在にしたり、蝶番のような連接具を設けるなど種々の設計変更が可能である。
【図面の簡単な説明】
【００１３】
【図１】本発明の実施形態を示すごみ収納補助具の折り畳み状態の斜視図。
【図２】本発明の実施形態を示すごみ収納補助具の拡張状態の斜視図。
【図３】本発明のごみ収納補助具の使用状態を示す斜視図。
【図４】本発明のごみ収納補助具の使用状態を示す斜視図。
【図５】本発明のごみ収納補助具の使用状態を示す縦断面図。
【符号の説明】
【００１４】
１        基体
２        可撓性板
３，３    ガムテープ
４，４    手掛用の透孔
７        ごみ袋
【図１】
2007314296.tif 000003
【図２】
2007314296.tif 000004
【図３】
2007314296.tif 000005
【図４】
2007314296.tif 000006
【図５】
2007314296.tif 000007